(57)【要約】【課題】適切な姿勢での血圧測定を容易に行うことができるものとする。【解決手段】載置用の台座ブロック２と、阻血用のカフ帯を備えて水平面に対する角度可変な状態で台座ブロック２に連結されているカフブロック１と、該カフブロック１の上記可変となっている角度範囲中の所定角度に非使用時の上記カフブロックを復帰させるばね付勢手段８とを備える。腕をカフブロックに差し込みやすい状態に常時保たれる上に、腕をカフブロックに差し込めば、腕の角度に応じてカフブロックの角度も変化するために、楽な姿勢での血圧測定を容易に行うことができる。【選択図】図１
2008148765.tif 000002
【特許請求の範囲】
【請求項１】
載置用の台座ブロックと、阻血用のカフ帯を備えて水平面に対する角度可変な状態で上記台座ブロックに連結されているカフブロックと、該カフブロックの上記可変となっている角度範囲中の所定角度に非使用時の上記カフブロックを復帰させるばね付勢手段とを備えていることを特徴とする血圧計。
【請求項２】
上記所定角度は、血圧測定に際しての使用頻度が高いと想定される角度であることを特徴とする請求項１記載の血圧計。
【請求項３】
非使用時のカフブロックが復帰する上記所定角度を調整自在としていることを特徴とする請求項１または２記載の血圧計。
【請求項４】
台座ブロックに対するカフブロックの角度変化を阻止するロック手段を備えていることを特徴とする請求項１〜３のいずれか１項に記載の血圧計。
【請求項５】
カフブロックが装着される被験者の肘に当接する肘置き部を備え、該肘置き部が上面に設けられた肘置きブロックは、台座ブロックに対してスライド自在に支持されているとともにカフブロックに連結されて、台座ブロックに対するカフブロックの角度変化に伴って台座ブロック上をスライド移動するものであることを特徴とする請求項１〜４のいずれか１項に記載の血圧計。
【請求項６】
カフブロックは台座ブロックに対して水平面上の位置及び鉛直軸回りの向きが可変な状態で台座に連結されていることを特徴とする請求項１〜５のいずれか１項に記載の血圧計。
【請求項７】
カフブロックは台座ブロックに対して鉛直軸方向の位置が可変な状態で台座ブロックに連結されていることを特徴とする請求項１〜６のいずれか１項に記載の血圧計。
【請求項８】
カフブロックに対する上肢の位置を検出する検出手段を備えていることを特徴とする請求項１〜７のいずれか１項に記載の血圧計。
【発明の詳細な説明】
【技術分野】
【０００１】
本発明は、上腕での血圧測定のための血圧計に関するものである。
【背景技術】
【０００２】
阻血用のカフ帯を上腕に自動で巻き付けることができるものでは、上腕を挿通させることができる挿通口が貫通形成されたカフブロック内に、阻血用のカフ帯及び該カフ帯を締めて上腕に巻き付けるための巻き付け機構を内蔵させているが、カフブロックにおける上記挿通口の傾斜角度が固定のものでは、血圧計が使用される机の高さが不定である上に、被験者の体格差のこともあって、被験者は適切な姿勢で血圧測定をすることができない。
【０００３】
このために、台座上に載置される台座ブロックに対してカフブロックを回動自在に連結することで、カフブロックの水平面に対する角度を変化させることができるようにしたものが提供されている。しかし、特許文献１に示されたものでは、カフブロックに腕を挿入するにあたり、腕を挿入しやすい角度にカフブロックの角度を調節したり、その角度を他の腕を用いて保っておく作業が必要である。
【特許文献１】特開２００４−２５４８８２号公報
【発明の開示】
【発明が解決しようとする課題】
【０００４】
本発明は上記の従来の問題点に鑑みて発明したものであって、適切な姿勢での血圧測定を容易に行うことができる血圧計を提供することを課題とするものである。
【課題を解決するための手段】
【０００５】
上記課題を解決するために本発明に係る血圧計は、載置用の台座ブロックと、阻血用のカフ帯を備えて水平面に対する角度可変な状態で上記台座ブロックに連結されているカフブロックと、該カフブロックの上記可変となっている角度範囲中の所定角度に非使用時の上記カフブロックを復帰させるばね付勢手段とを備えていることに特徴を有している。
【０００６】
腕をカフブロックに差し込みやすい状態に常時保たれる上に、腕をカフブロックに差し込めば、腕の角度に応じてカフブロックの角度も変化するために、楽な姿勢での血圧測定を容易に行うことができる。
【０００７】
上記所定角度は、血圧測定に際しての使用頻度が高いと想定される角度であることが好ましい。
【０００８】
また、非使用時のカフブロックが復帰する上記所定角度を調整自在としておくと、更に好ましい結果を得ることができる。
【０００９】
台座ブロックに対するカフブロックの角度変化を阻止するロック手段を備えているものでは、収納時や運搬時の便が良いものとなる。
【００１０】
そして、カフブロックが装着される被験者の肘に当接する肘置き部を備え、該肘置き部が上面に設けられた肘置きブロックは台座ブロックに対してスライド自在に支持されているとともにカフブロックに連結されて、台座ブロックに対するカフブロックの角度変化に伴って台座ブロック上をスライド移動するものであると、台座ブロックに対するカフブロックの角度が変化してもカフブロック一端から肘置き部までの距離を常に一定に保つことができて、正確な血圧測定を行うことができる。。
【００１１】
また、カフブロックは台座ブロックに対して水平面上の位置及び鉛直軸回りの向きが可変な状態で台座に連結されていたり、台座ブロックに対して鉛直軸方向の位置が可変な状態で台座ブロックに連結されていると、被験者の腕の自由度が増すために、より楽な姿勢での血圧測定を行うことができる。
【００１２】
また、カフブロックに対する上肢の位置を検出する検出手段を備えたものでは、上腕における適切なところにカフブロックを位置させた状態で血圧を測定することができる。
【発明の効果】
【００１３】
本発明においては、腕をカフブロックに差し込みやすい状態に常時保たれるものであり、予備的な操作をカフブロックに加えなくてもよく、しかもカフブロックに腕を差し込めば、腕の角度に応じてカフブロックの角度も変化するために、楽な姿勢での血圧測定を容易に行うことができる。
【発明を実施するための最良の形態】
【００１４】
以下、本発明を添付図面に示す実施形態に基いて説明すると、図１において、１はカフ帯及び該カフ帯を上腕に巻き付けるための後述する巻き付け機構を内蔵したカフブロックであり、上腕を挿通するための挿通口１０が貫通する筒状となっている。このカフブロック１は、机上などに載置される台座ブロック２に対して軸３によって回動自在に連結されることで、水平面に対する角度が可変となっている。また、上記軸３の付近には一端をカフブロック１側に固定し且つ他端を台座ブロック２側に固定したねじりコイルばね８を配設してある。
【００１５】
上記ねじりコイルばね８は、カフブロック１の角度に応じて付勢方向を変更するもので、カフブロック１の自重との関係で、常時はカフブロック１を水平面に対して所定の角度αをなす状態に保つものであり、この角度αより小さい角度や大きい角度となるようにカフブロック１を動かしても、カフブロック１に加えた力を緩めれば、カフブロック１は上記角度αにばね付勢によって自動復帰する。
【００１６】
ここにおける上記の所定角度αは、３０°から４５°の範囲内の角度であることが好ましいが、この範囲内に限定するものではない。また、変更することができるカフブロック１の角度範囲は、上記角度範囲を完全に包含する範囲、たとえば０°〜９０°程度であることが望ましい。
【００１７】
このものにおいては、カフブロック１は通常時、上記角度αを保っているために、カフブロック１への腕への挿入に際して予め上記角度を変更する必要は全くなく、そのまま腕を挿通口１０に差し込んでいけばよく、しかも腕を挿通口１０に差し入れていけば、カフブロック１は腕の角度に応じて角度を変化させるものであり、最終的には挿通口１０に通した上腕と水平面となす角度と一致する角度となる。
【００１８】
また血圧測定して終了する時も、そのまま腕を引き抜けば、カフブロック１は腕の角度に追従して角度を変化させるために、腕がカフブロック１に引っ掛かったりすることなく、腕を抜き出せるものであり、また腕を抜き出した後は、カフブロック１は上記角度αを維持する。
【００１９】
なお、カフブロック１に腕を通すにあたっては、カフブロック１を手前側に大きく倒してほぼ水平状態とし、この状態で前腕部を差し入れるという動作も可能である。この時も、肘位置よりも上腕側が挿通口１０内に入る時には、カフブロック１は腕の角度に追従して立ち上がるために、途中でカフブロック１の角度を手動変更する必要はない。
【００２０】
台座ブロック１を置く机の高さや被験者の体格差によっては、上記所定の角度αがあまり適切ではない場合も存在することから、たとえばねじりコイルばね８の台座ブロック２側の端部を台座ブロック２に固定している固定部２６を図中左右方向に調節することでカフブロック１に対するばね力を変化させる調節ダイアル２７を設けておくとよい。この調節ダイアル２７による上記調整で、所定の角度αを調整することができる。
【００２１】
なお、収納時や運搬時には、カフブロック１が台座ブロック２に対して回動できない状態にある方が好ましいことから、図２に示すように台座ブロック１に対してカフブロック１を固定しまうロック手段８５を設けておくことが好ましい。
【００２２】
図３は上記カフブロック１内の巻き取り機構を示しており、図中１１はカフ帯、１２は巻き取りドラム、１３はギアモータ、１４は減速輪列であり、ギアモータ１３の減速輪列１４を介した巻き取りドラム１２の回転でカフ帯１１の巻き取り及び巻き戻し動作がなされる。
【００２３】
なお、上記ギアモータ１３及び減速輪列１４は、図３(a)に示すように、軸３が位置する一端側と反対側の端部に配置した時、軸３付近を通る配管や配線の配置が容易となるとともに、台座ブロック３の軸３付近を小型に保つことができるが、図３(b)に示すように、重量物であるギアモータ１３及び減速輪列１４を軸３付近に配置すれば、カフブロック１を回動させるのに必要なトルクが小さくてすむために、ねじりコイルばね８も小さなもので済むものとなる。
【００２４】
ところで台座ブロック２の上面には、カフブロック１に通した腕の肘の部分を受ける肘置き部４４を設けて、この肘置き部４４に肘を置くことで上腕に対するカフブロック１の位置決めがなされるようにしているのであるが、この肘置き部４４には図４に示すように肘が置かれたかどうかを検出するスイッチＳを設けて、血圧測定を開始させるにあたり、このスイッチＳがオンになっていなければ警告音や警告表示が出るようにしたり、あるいはスイッチＳがオンとなることで、血圧測定動作が開始されるようにしておくと、カフブロック１に上腕が十分に差し込まれていない状態での血圧測定がなされてしまうような事態が生じるのを防ぐことができる。
【００２５】
また、カフブロック１を台座ブロック２に回動自在に連結しているとともに台座ブロック２上に肘の位置決めのための部分を設けるにあたっては、図５に示すように、肘位置の位置決め用の肘置き部４４と、前腕を支えることになる前腕サポート部４５とを備えた肘置きブロック４を台座ブロック２の上面にスライド自在に配設するとともに、この肘置きブロック４の一端を上記カフブロック１の軸３から少し離れたところに支軸４０によって連結し、台座ブロック２に対してカフブロック１を回動させたならば、肘置きブロック４がカフブロック１の回動角度に応じて台座ブロック２上の位置を変更するようにしておくことが好ましい。
【００２６】
カフブロック１の挿通口１０に上腕９を挿通した血圧測定被験者の背が高くて（あるいは台座ブロック２が置かれた面の高さが低くて）、カフブロック１と水平面とのなす角度（カフブロック１の傾斜角度）γが大きい時、肘置きブロック４は上記軸３から離れたところに位置し、逆に血圧測定被験者の背が低くて（あるいは台座ブロック２が置かれた面の高さが高くて）、カフブロック１と水平面とのなす角度（カフブロック１の傾斜角度）γが小さい時には、肘置きブロック４は上記軸３に寄ったところに位置することになり、肘置きブロック４における肘位置の位置決め用の肘置き部４４からカフブロック１内のカフ帯までの距離は、カフブロック１の傾斜角度に拘わらず、ほぼ一定に保たれる。このために常に正確な血圧測定を行うことができるものとなる。
【００２７】
なお、上記肘置きブロック４は台座ブロック２に設けられたガイド溝２１に沿って摺動するガイド軸４１を備えている。このガイド溝２１は、上記軸３寄りの一端よりも他端側の方が低い位置にくる円弧状のもの（斜め直線状であってもよい）としてあるが、これはカフブロック１の回動に伴う肘置きブロック４の上記前後動が、肘置きブロック４の傾斜角度θをほぼ一定に保った状態でなされるようにしているためであり、角度θが変化してもよい場合は、ガイド溝２１を水平な溝として形成すればよい。
【００２８】
図６以降に示すものは、台座ブロック２に対して、カフブロック１の水平面上の位置及び鉛直軸回りの向きを変化させることができるようにしたもので、台座ブロック２の上面には十字状の溝７０を設けてある。また、前記軸３の台座ブロック２側の軸受けを備える可動ベース７１を設けて、この可動ベース７１が備える軸部７２を上記溝７０内に位置させている。上記軸部７２は、溝７０の幅とほぼ等しい外径であり、この軸部７２を十字状の溝７０に沿って動かすことで、水平面上でのカフブロック１の位置を前後左右に動かすことができ、更に可動ベース７１の軸部７２をその軸回りに回転させることで、図７に示すように鉛直軸回りの向きを変化させることができる。
【００２９】
このために、台座ブロック２と被験者の肩位置とが正対していない状態でも、被験者の腕の位置や向きに応じてカフブロック２の位置や向きを変化させることができるものであり、このために腕を楽な状態に保ったまま血圧測定を行うことができる。
【００３０】
また、上記十字状の溝７０を台座ブロック２に直接設けるのではなく、台座ブロック２に対して上下（鉛直方向）に位置を変化させることができるシフトベース７５を設けて、このシフトベース７５に上記溝７０を設ければ、カフブロック１の鉛直方向位置の調整も行うことができて、更に楽な姿勢での血圧測定が可能となる。
【００３１】
なお、血圧の測定開始後は、カフブロック１が動きまわっては測定精度に問題が生じることから、上記の可動構成については少なくとも可動ベース７１の動きを阻止することができるロック手段（図示せず）を設けておくことが好ましい。また、カフブロック１の水平面上での位置及び鉛直軸回りの向きを変化させることは、カフブロック１を軸３の回りに回動自在としていないものにおいても測定時の姿勢を楽にするという点で有効である。
【図面の簡単な説明】
【００３２】
【図１】本発明の実施の形態の一例を示す概略断面図である。
【図２】同上の他例を示す概略側面図である。
【図３】(a)(b)は共に同上のカフブロック内の構成例を示す概略断面図である。
【図４】同上の別の例を示す概略断面図である。
【図５】同上の更に別の例を示すもので、(a)(b)は概略側面図である。
【図６】同上の更に他の例を示すもので、(a)は動作を示す概略平面図、(b)は部分断面図である。
【図７】(a)(b)は同上の他の動作を示す概略平面図である。
【符号の説明】
【００３３】
１  カフブロック
２  台座ブロック
３  軸
８  ねじりコイルばね
【図１】
2008148765.tif 000003
【図２】
2008148765.tif 000004
【図３】
2008148765.tif 000005
【図４】
2008148765.tif 000006
【図５】
2008148765.tif 000007
【図６】
2008148765.tif 000008
【図７】
2008148765.tif 000009